(57)【要約】【課題】無線通信において、不要な電力の消費を防止するとともに、他の移動局への干渉を減少させ、下り容量を増加させることを可能とする。【解決手段】複数の移動局から、各移動局に対する下り回線の受信品質に関する情報を取得する受信品質取得部３３と、各移動局１に対する上り回線による受信が発生してから下り回線による送信が発生するまでの経過時間を、移動局毎にそれぞれ測定するタイマー部３６と、このタイマー部３６による測定結果と所定の閾値とを比較する比較部３５と、比較部３５による比較により、タイマー部３６による測定結果が所定の閾値以下であると判断された場合に、下り回線の受信品質に関する情報に基づいて移動局に対する共通チャネルの送信電力を算出する送信電力算出部３４と、算出された送信電力となるように共通チャネルの送信電力を設定する送信電力設定部３９とを有する。【選択図】      図２
2004201095.tif 000002
【特許請求の範囲】
【請求項１】
複数の移動局から、上り回線を通じて、各移動局に対する下り回線の受信品質を取得するステップ（１）と、
前記各移動局に対する上り回線による受信が発生してから下り回線による送信が発生するまでの経過時間を、移動局毎にそれぞれ測定し、この測定結果と所定の閾値とを比較するステップ（２）と、
ステップ（２）において前記測定結果が前記所定の閾値以下である場合に、前記下り回線の受信品質に基づいて共通チャネルの送信電力を算出し、設定するステップ（３）と
を有することを特徴とする送信電力制御方法。
【請求項２】
複数の移動局側においてデータが適正に受信できなかった旨を通知する不定応答の受信数を下り回線の受信品質として計数するステップ（１）と、
前記不定応答の受信数に応じて共通チャネルの送信電力を算出し、設定するステップ（２）と
を有することを特徴とする送信電力制御方法。
【請求項３】
複数の移動局に対する再送信が発生する頻度を下り回線の受信品質として測定するステップ（１）と、
前記頻度に応じて共通チャネルの送信電力を算出し、設定するステップ（２）と
を有することを特徴とする送信電力制御方法。
【請求項４】
複数の移動局から、該移動局における誤り率を下り回線の受信品質として取得するステップ（１）と、
前記誤り率に基づいて前記共通チャネルの送信電力を算出し、設定するステップ（２）と
を有することを特徴とする送信電力制御方法。
【請求項５】
前記共通チャネルの送信電力の算出に際し、前記閾値以下となる移動局が複数存在する場合に、これら複数の移動局から取得された前記下り回線受信品質のうちから、最悪値を選択し、この選択された最悪値を用いて前記共通チャネルの送信電力を算出することを特徴とする請求項１乃至４に記載の送信電力制御方法。
【請求項６】
複数の移動局から、上り回線を通じて、各移動局に対する下り回線の受信品質を取得する受信品質取得部と、
前記各移動局に対する上り回線による受信が発生してから下り回線による送信が発生するまでの経過時間を、移動局毎にそれぞれ測定するタイマー部と、
前記タイマー部による測定結果と所定の閾値とを比較する比較部と、
前記比較部による比較により、前記タイマー部による測定結果が前記所定の閾値以下であると判断された場合に、前記下り回線の受信品質に基づいて前記共通チャネルの送信電力を算出し、設定する送信電力設定部と
を有することを特徴とする制御装置。
【請求項７】
複数の移動局側においてデータが適正に受信できなかった旨を通知する不定応答の受信数を下り回線の受信品質として計数する不定応答計数部と、
前記不定応答の受信数に応じて前記共通チャネルの送信電力を算出し、設定する送信電力設定部と
を有することを特徴とする制御装置。
【請求項８】
複数の移動局に対する再送信が発生する頻度を下り回線の受信品質として測定する再送信要求監視部と、
前記頻度に応じて前記共通チャネルの送信電力を算出し、設定する送信電力設定部と
を有することを特徴とする制御装置。
【請求項９】
複数の移動局における誤り率を下り回線の受信品質として取得する誤り率監視部と、
前記誤り率に基づいて前記共通チャネルの送信電力を算出し、設定する送信電力設定部と
を有することを特徴とする制御装置。
【請求項１０】
取得した前記下り回線の受信品質、及びタイマー部による測定結果を各移動局毎に蓄積する移動局情報蓄積部を有し、
前記送信電力設定部は、閾値以下となる移動局が複数存在する場合に、これらの移動局に関し、前記移動局情報蓄積部に蓄積された前記下り回線受信品質に関する情報のうちから、最悪値を選択し、この選択された最悪値を用いて前記共通チャネルの送信電力を算出することを特徴とする請求項６乃至９に記載の制御装置。
【発明の詳細な説明】
【０００１】
【発明の属する技術分野】
本発明は、ＣＤＭＡ移動通信システム等の通信方式において、下り共通チャネルの送信電力制御方法及び制御装置に関するものである。
【０００２】
【従来の技術】
従来、ＣＤＭＡ等の移動通信システムにおける下り共通チャネルは、管轄セル内に在圏する移動局に対して共通のチャネルを用いて、基地局から送信される。
図１０は、従来の移動通信システムにおける送信電力の設定方式を説明する概略構成図である。
【０００３】
同図に示すように、従来において、下り共通チャネルは、管轄エリア内に在圏する全ての移動局が受信できるように、基地局２は、無線制御装置３の要求に従い、セルの最端に在圏する移動局１ａが正常に受信できるように予め設定された固定の送信電力値で送信を行う。
【０００４】
【非特許文献１】
林，臼田，石川，中村，尾上，”W-CDMA方式における下り共通制御チャネルへの送信電力分配に関する検討”，2000年信学総大，B-5-81，2000-03
【０００５】
【発明が解決しようとする課題】
しかしながら、下り共通チャネルは、上述したように在圏している移動局のうち、最端に位置する移動局１ａが受信可能な電界強度で送信するため、同一セル内に在圏する他の移動局１ｂに対しては過度な送信電力となり受信品質が過剰となる可能性があり、移動局１ａ，１ｂの通信環境によっては、不要な電力を消費するとともに、他の移動局に対する干渉の発生、下り容量の劣化を招く惧れがあった。
【０００６】
そこで、本発明は上述の点を鑑み、移動局の無線状態に応じた下り共通チャネルの送信電力となるように制御し、不要な電力の消費を防止するとともに、他の移動局への干渉を減少させ、下り容量を増加させることが可能となる送信電力制御方法及び制御装置を提供することを目的とする。
【０００７】
【課題を解決するための手段】
上記課題を解決するために、本発明は、複数の移動局から、上り回線を通じて、各移動局に対する下り回線の受信品質に関する情報を取得し、各移動局に対する上り回線による受信が発生してから下り回線による送信が発生するまでの経過時間を、移動局毎にそれぞれ測定し、この測定結果と所定の閾値とを比較し、経過時間の測定結果が所定の閾値以下である場合に、下り回線の受信品質に関する情報に基づいて移動局に対する共通チャネルの送信電力を算出し、設定することを特徴とする。
【０００８】
このような本発明によれば、各移動局の受信信号を受信してから、次に送信信号を送信するまでの時間差が所定の閾値以下となるときには、各移動局に対する下り回線の受信品質に基づいて、下り共通チャネルの受信品質を確保するように送信電力を決定し、時間差が閾値を超える場合には、予め定められた固定的な送信電力とすることができる。
【０００９】
この結果、本発明によれば、受信信号を受信してから、次に送信信号を送信するまでの時間差が小さい場合には、各移動局の位置関係や伝搬環境の変動が小さいと推定し、下り信号の送信が発生している当該移動局の受信品質を考慮して送信電力を設定することができ、時間差が大きいときには、各移動局の位置関係や伝搬環境の変動が大きいと考えられるため、従来通り、セルの最端に位置する移動局が正常に受信できるように予め設定された固定の送信電力を設定することができる。
【００１０】
これにより、本発明によれば、各移動局の位置関係や伝搬環境の変動を考慮して、適宜、適切な下り共通チャネルの送信電力を設定することが可能となり、過剰な受信品質による不要な電力の消費や、干渉の発生、下り容量の劣化を回避することができる。
【００１１】
他の発明は、複数の移動局側においてデータが適正に受信できなかった旨を通知する不定応答の受信数を下り回線の受信品質として計数し、計数された不定応答の受信数に応じて前記共通チャネルの送信電力を算出し、設定することを特徴とする。このような発明によれば、Ｎａｃｋ等の不定応答の発生をカウントすることによって、移動局側の通信環境の変化を監視し、その変化に応じた共通チャネルの送信電力の設定を行うことができる。
【００１２】
他の発明は、複数の移動局に対する再送信が発生する頻度を下り回線の受信品質として測定し、測定された頻度に応じて前記共通チャネルの送信電力を算出し、設定することを特徴とする。このような発明によれば、再送信要求等の発生をカウントすることによって、通信環境の変化を監視し、その変化に応じた共通チャネルの送信電力の設定を行うことができる。
【００１３】
他の発明は、複数の移動局から、移動局における誤り率を下り回線の受信品質として取得し、この誤り率に基づいて移動局に対する共通チャネルの送信電力を算出し、設定することを特徴とする。このような発明によれば、各移動局に対する下り回線のBLER等の誤り率に基づいて、下り共通チャネルの受信品質を確保するように送信電力を決定することができる。この結果、受信側における誤り率を利用して、受信側の通信状況の変動に応じた共通チャネルの送信電力を決定することができる。
【００１４】
また、上記各発明においては、閾値以下となる移動局が複数存在する場合に、これら複数の移動局から取得された下り回線受信品質に関する情報のうちから、最悪値を選択し、この選択された最悪値を用いて共通チャネルの送信電力を算出することができる。この場合には、下り信号の送信が必要となった移動局のうち、最も受信品質が低い移動局を基準として送信電力を設定することができる。
【００１５】
【発明の実施の形態】
［第１実施形態］
本発明の送信電力制御システムの第１実施形態について説明する。図１は、本実施形態に係る送信電力制御システムの全体図を示す概略構成図である。同図に示すように、本実施形態では、無線制御装置３においてセル内に在圏する各移動局の受信品質を考慮して下り共通チャネルの送信電力値を決定し、決定された送信電力値により基地局２から各移動局１ａ，１ｂに送信する。
【００１６】
図２は、本実施形態に係る無線制御装置の構成を示すブロック図である。同図に示すように、本実施形態に係る無線制御装置３は、上り回線受信部３１と、下り回線送信部３２と、受信品質取得部３３と、送信電力算出部３４と、比較部３５と、タイマー部３６と、移動局情報蓄積部３７と、閾値格納部３８と、送信電力設定部３９とを備えている。
【００１７】
上り回線受信部３１は、各移動局からの上り回線を通じた信号を受信するモジュールであり、この上り回線受信部３１には、タイマー部３６と受信品質取得部３３とが接続されており、上り回線を通じた受信があった場合にタイマー部３６を起動するとともに、移動局から上り回線を通じて報告された受信品質に関する情報を受信品質取得部３３に出力する。
【００１８】
下り回線送信部３２は、各基地局に対して、下り回線を通じて信号を送信するモジュールであり、下り回線を通じた送信が発生した場合には、その発生した時刻をタイマー部３６に出力する。
【００１９】
受信品質取得部３３は、各移動局から、上り回線を通じて、各移動局に対する下り回線の受信品質に関する情報（本実施形態では下り回線の電界強度等）を取得するモジュールであり、各移動局毎の受信品質を抽出し、各移動局を識別する識別子（電話番号等）に対応付けて受信品質を移動局情報蓄積部３７に蓄積させる。また、この受信品質取得部３３は、抽出した受信品質を送信電力算出部３４に送出する。
【００２０】
比較部３５は、タイマー部３６による測定結果と、閾値格納部３８内に格納された所定の閾値とを比較するモジュールであり、タイマー部３６による測定結果が所定の閾値以下であると判断した場合にはその旨を送信電力算出部３４に通知し、閾値を超えていると判断した場合には、その旨を送信電力設定部３９に通知する。
【００２１】
特に、本実施形態における比較部３５は、上り信号を受信してから、次に下り信号を送信するまでの時間差が、閾値以下となる移動局が複数存在する場合には、該当する複数の移動局の識別子を送信電力算出部３４に通知する。
【００２２】
タイマー部３６は、上り信号を受信してから、次に下り信号を送信するまでの時間差を測定するモジュールであり、各移動局に対する上り回線による受信が発生してから下り回線による送信が発生するまでの経過時間を、移動局毎にそれぞれ測定する。具体的には、上り信号が受信された際に、その上り信号を送信した移動局を識別する識別子と発生時刻とを対応付けて移動局情報蓄積部３７に蓄積させるとともに、下り信号が発生した際に、その移動局についての上り信号発生時刻を移動局情報蓄積部３７から読み出し経過時刻を算定し、その算定結果を経過時間として比較部３５に送出する。
【００２３】
移動局情報蓄積部３７は、各移動局を識別する識別子（電話番号等）と、各移動局からの上り信号が発生した時刻と、この上り信号により報告された受信品質に関する情報とを関連付けて記憶するデータベースであり、タイマー部から入力される上り信号発生時刻と、受信品質取得部３３が取得した受信品質に関する情報とを関連付けて蓄積し、タイマー部３６や比較部３５からの要求に応じて、蓄積したデータを出力する。
【００２４】
閾値格納部３８は、上り信号を受信してから、次に下り信号を送信するまでの時間差の閾値を格納する記憶装置であり、比較部３５の要求に応じて格納している閾値を比較部３５に出力する。
【００２５】
送信電力算出部３４は、比較部３５による比較により、タイマー部３６による測定結果が所定の閾値以下であると判断された場合に、下り回線の受信品質に関する情報に基づいて、該当する移動局に対する共通チャネルの送信電力を算出するモジュールであり、この算出結果は、送信電力設定部３９に出力される。
【００２６】
また、本実施形態に係る送信電力算出部３４は、閾値以下となった移動局が複数あると比較部３５から通知があった場合には、これら該当する移動局に関し、移動局情報蓄積部３７に蓄積された下り回線受信品質に関する情報のうちから、最悪値を選択し、この選択された最悪値を用いて前記共通チャネルの送信電力を算出する。
【００２７】
送信電力設定部３９は、基地局２の送信電力を決定し通知するモジュールであり、タイマー部３６の測定結果に応じて、送信電力算出部３４により算出された送信電力がある場合には、その算出された送信電力となるように共通チャネルを設定し、算出された送信電力がない場合には、固定的に定められた送信電力を設定する。なお、本実施形態において、固定的に定められた送信電力とは、セル内在圏する移動局のうち、セルの最端に位置する移動局が正常に受信できるような送信電力である。
【００２８】
図３は、本実施形態に係る無線制御装置の動作を示すフローチャート図である。図３に示すように、先ず、無線制御装置３は、ループ処理により、上り受信データ又は下り送信データの発生を監視する（Ｓ１０１，Ｓ１０２）。具体的には、上り回線受信部３１及び下り回線送信部３２において、受信若しくは送信信号の有無を検出する。
【００２９】
ステップＳ１０１において、上り受信データが発生した場合には、移動局１ａ，１ｂから下り信号の受信品質に関する情報（下り回線の電界強度の報告値）を受信し（Ｓ１０３）、報告値の有効／無効を決定するタイマーを起動する（Ｓ１０４）。具体的には、上り回線受信部３１において、上り信号の発生が検出された際に、タイマー部３６を起動し、その上り信号が発生した時刻と、上り信号を送信した移動局の識別子とを関連付けて移動局情報蓄積部３７に蓄積させる。また、これと併せて、受信品質取得部３３では、移動局から報告された下り回線の受信品質に関する情報を、該当する移動局の識別子とともに移動局情報蓄積部３７に出力し、移動局情報蓄積部３７は、タイマー部３６からのデータと、移動局情報蓄積部３７からのデータとを関連付けて蓄積する。
【００３０】
そして、ステップＳ１０２において下り送信データが発生した際に、タイマーが満了しているか否かを判断する（Ｓ１０５）。具体的には、タイマー部３６は、下り回線送信部３２において発生した下り信号の送信先である移動局の識別子に基づいて、移動局情報蓄積部３７から、当該移動局に関する上り信号の発生時刻を検索し、その上り信号の発生時刻を取得する。タイマー部３６は、下り信号の発生時刻と、上り信号の発生時刻との差分から、上り信号の発生からの経過時間を算出し、その算出結果を比較部３５に出力する。
【００３１】
比較部３５では、タイマー部３６から入力された経過時刻と、閾値格納部３８に格納された閾値とを比較する。
【００３２】
ステップＳ１０５において、閾値で定められた時間長が満了していないと判断した場合（図中ステップＳ１０５における「ＮＯ」）には、その旨を送信電力算出部３４に通知する。このとき、閾値で定められた時間長が満了していない移動局が複数ある場合には、それら複数の移動局の識別子も併せて送信電力算出部３４に通知する。
【００３３】
送信電力算出部３４では、比較部３５からの通知に基づいて下り共通チャネル送信電力値を算出し、この算出結果に従って送信電力設定部３９において、下り共通チャネル送信電力値を設定する（Ｓ１０６）。具体的には、比較部３５からの通知に基づいて、該当する移動局の受信品質を受信品質取得部３３又は移動局情報蓄積部３７から取得し、取得した受信品質に基づいて、共通チャネルの下り回線の送信電力を算出する。送信電力設定部３９では、この算出された送信電力となるように下り共通チャネルの送信電力を設定する。
【００３４】
なお、比較部３５から、該当する移動局が複数あると通知された場合には、通知された複数の移動局についての受信品質を移動局情報蓄積部３７から取得し、その取得されたデータの中から最悪値を選択し、その最悪値に基づいて共通チャネルの送信電力を算出する。
【００３５】
一方、ステップＳ１０５において、閾値で定められた時間長が既に満了していると判断した場合（図中ステップＳ１０５における「ＹＥＳ」）、比較部３５は、その旨を送信電力設定部３９に通知する。送信電力設定部３９では、予め決められた固定の下り共通チャネル送信電力値を設定する（Ｓ１０７）。
【００３６】
［第２実施形態］
本発明の送信電力制御システムの第２実施形態について説明する。図４は、本実施形態に係る無線制御装置３の概略構成を示すブロック図である。
【００３７】
同図に示すように、本実施形態では、移動局に対する下り共通チャネルの受信品質に関する情報として、移動局からのＮａｃｋ（不定応答：Not Acknowledgement）数を用いる。具体的には、不定応答計数部３３１により、周期的に各移動局からのＮａｃｋ数をカウントし、そのカウント結果を下り回線の受信品質に関する情報として、移動局情報蓄積部３７に蓄積し、送信電力算出部３４において、このＮａｃｋ数を用いて各移動局に対する共通チャネルの送信電力を算出し、送信電力設定部３９において送信電力を設定する。
【００３８】
図５は、本実施形態に係る無線制御装置の動作を示すフローチャート図である。図５に示すように、先ず、無線制御装置３は、ループ処理により、上り受信データ又は下り送信データの発生を監視する（Ｓ２０１，Ｓ２０２）。
【００３９】
ステップＳ２０１において、上り受信データが発生した場合には、測定期間内に発生したＮａｃｋ数を不定応答計数部３３１によりカウントし（Ｓ２０３）、そのカウント数を上り信号を送信した移動局の識別子とを関連付けて移動局情報蓄積部３７に蓄積させる。
【００４０】
そして、ステップＳ２０２において下り送信データが発生した際に、送信電力算出部３４では、比較部３５からの通知に基づいて下り共通チャネル送信電力値を算出し、この算出結果を送信電力設定部３９に出力する（Ｓ２０５）。送信電力設定部３９では、この決定された送信電力となるように下り共通チャネルの送信電力を設定する（Ｓ２０５）。
【００４１】
なお、複数の移動局に対して下り送信データが発生した場合には、これら複数の移動局についてのＮａｃｋ数を移動局情報蓄積部３７から取得し、その取得されたデータの中から最悪値を選択し、その最悪値に基づいて共通チャネルの送信電力を算出する。
【００４２】
［第３実施形態］
本発明の送信電力制御システムの第３実施形態について説明する。図６は、本実施形態に係る無線制御装置３の概略構成を示すブロック図である。
【００４３】
本実施形態では、移動局に対する下り共通チャネルの受信品質に関する情報として、移動局に対する再送率を用いる。具体的には、再送率監視部３３２により、周期的に各移動局に対する再送率を測定し、その測定結果を下り回線の受信品質に関する情報として、移動局情報蓄積部３７に蓄積する。そして、送信電力算出部３４は、下り送信データが発生した際に、再送信要求監視部３３１若しくは移動局情報蓄積部３７からの再送率に基づいて、下り共通チャネルの送信電力を算出する。
【００４４】
図７は、本実施形態に係る無線制御装置の動作を示すフローチャート図である。図７に示すように、先ず、無線制御装置３は、ループ処理により、上り受信データ又は下り送信データの発生を監視する（Ｓ３０１，Ｓ３０２）。
【００４５】
ステップＳ３０１において、上り受信データが発生した場合には、測定期間内における再送率を測定するとともに（Ｓ３０３）、タイマーを起動する（Ｓ３０４）。具体的には、再送率監視部３３２では、下り回線送信部３２を監視し、上り受信データが発生した場合、測定周期毎に、該当する移動局に対して再送されるデータの率をカウントし、そのカウント結果を、該当する移動局の識別子とともに移動局情報蓄積部３７に出力し、移動局情報蓄積部３７に蓄積させる。送信電力算出部３４では、比較部３５からの通知に基づいて下り共通チャネル送信電力値を算出する（Ｓ３０４）。
【００４６】
そして、ステップＳ３０２において下り送信データが発生した際に、ステップＳ３０４による算出結果に従って送信電力設定部３９において、下り共通チャネル送信電力値を設定する（Ｓ３０５）。具体的には、下り送信データが発生した際に、該当する移動局に対する再送率を再送率監視部３３２又は移動局情報蓄積部３７から取得し、取得した再送率に基づいて、共通チャネルの下り回線の送信電力を算出する。送信電力設定部３９では、この算出結果に基づいて下り共通チャネルの送信電力を設定する。
【００４７】
なお、下り送信データが複数の移動局に対して発生した場合には、それら複数の移動局に対する再送率を移動局情報蓄積部３７から取得し、その取得されたデータの中から最悪値を選択し、その最悪値に基づいて共通チャネルの送信電力を算出する。
【００４８】
［第４実施形態］
本発明の送信電力制御システムの第４実施形態について説明する。本実施形態では、各移動局に対する下りBLER（平均ブロック誤り率：Block error Rate）の報告値を、各移動局から取得する誤り率監視部３３３を備えたことを特徴とする。
【００４９】
図８は、本実施形態に係る無線制御装置３の概略構成を示すブロック図である。本実施形態では、移動局に対する下り共通チャネルの受信品質に関する情報として、移動局からのBLERの報告値を用いる。具体的には、誤り率監視部３３３により、各移動局からBLERの報告値を取得し、その取得された報告値を下り回線の受信品質に関する情報として、移動局情報蓄積部３７に蓄積する。そして、送信電力算出部３４は、誤り率監視部３３３若しくは移動局情報蓄積部３７からのBLER報告値に基づいて、下り共通チャネルの送信電力を算出する。
【００５０】
図９は、本実施形態に係る無線制御装置の動作を示すフローチャート図である。図９に示すように、先ず、無線制御装置３は、ループ処理により、上り受信データ又は下り送信データの発生を監視する（Ｓ４０１，Ｓ４０２）。ステップＳ４０１において、上り受信データが発生した場合には、誤り率監視部３３３で、下りBLER報告値を取得し（Ｓ４０３）、上り信号を送信した移動局の識別子とを関連付けて移動局情報蓄積部３７に蓄積させる。
【００５１】
そして、ステップＳ４０２において下り送信データが発生した際に、移動局情報蓄積部３７に蓄積された下りBLER報告値に基づいて下り共通チャネル送信電力値を算出し、この算出結果に従って送信電力設定部３９において、下り共通チャネル送信電力値を設定する（Ｓ４０４）。具体的には、下り信号が発生した移動局の下りBLER報告値を、誤り率監視部３３３又は移動局情報蓄積部３７から取得し、取得した下りBLER報告値に基づいて、共通チャネルの下り回線の送信電力を算出する。送信電力設定部３９では、この算出された送信電力となるように下り共通チャネルの送信電力を設定する。
【００５２】
なお、比較部３５から、該当する移動局が複数あると通知された場合には、通知された複数の移動局についての下りBLER報告値を移動局情報蓄積部３７から取得し、その取得されたデータの中から最悪値を選択し、その最悪値に基づいて共通チャネルの送信電力を算出する。
【００５３】
【発明の効果】
以上説明したように、本発明を適用した送信電力制御方法及び制御装置によれば、移動局の位置関係や無線状態に応じた下り共通チャネルの送信電力となるように制御することにより、不要な電力の消費を防止するとともに、他の移動局への干渉を減少させ、下り容量を増加させることが可能となる。
【図面の簡単な説明】
【図１】第１実施形態に係る送信電力制御システムの全体図を示す概略構成図である。
【図２】第１実施形態に係る無線制御装置の構成を示すブロック図である。
【図３】第１実施形態に係る無線制御装置の動作を示すフローチャート図である。
【図４】第２実施形態に係る無線制御装置の構成を示すブロック図である。
【図５】第２実施形態に係る無線制御装置の動作を示すフローチャート図である。
【図６】第３実施形態に係る無線制御装置の構成を示すブロック図である。
【図７】第３実施形態に係る無線制御装置の動作を示すフローチャート図である。
【図８】第４実施形態に係る無線制御装置の構成を示すブロック図である。
【図９】第４実施形態に係る無線制御装置の動作を示すフローチャート図である。
【図１０】従来の移動通信システムにおける送信電力の設定方式を説明する概略構成図である。
【符号の説明】
１ａ，１ｂ…移動局
２…基地局
３…無線制御装置
３１…上り回線受信部
３２…下り回線送信部
３３…受信品質取得部
３４…送信電力算出部
３５…比較部
３６…タイマー部
３７…移動局情報蓄積部
３８…閾値格納部
３９…送信電力設定部
３３１…不定応答計数部
３３２…再送率監視部
３３３…誤り率監視部
【図１】
2004201095.tif 000003
【図２】
2004201095.tif 000004
【図３】
2004201095.tif 000005
【図４】
2004201095.tif 000006
【図５】
2004201095.tif 000007
【図６】
2004201095.tif 000008
【図７】
2004201095.tif 000009
【図８】
2004201095.tif 000010
【図９】
2004201095.tif 000011
【図１０】
2004201095.tif 000012